(57)【要約】【課題】携帯電話機等のカメラ付携帯機器は、いろいろな撮影環境で撮影がなされるため、暗い環境下での撮影時には光量が少ない画像になってしまいユーザが満足できる撮影ができない。したがって、暗い環境下での撮影時にはユーザがカメラ制御部に対して高感度処理を実行する設定操作を行う必要があった。【解決手段】カメラ制御部は１２少なくとも撮影された画像を高画質化又は高感度化処理する機能を有しており、操作部６によりライト１４の点灯操作がなされたときには高感度化処理を行う設定がなされるように構成されている。したがって、ライト１４点灯操作がなされたことにより、高感度処理を実行する設定操作をさらに行うことなく、高感度化処理を行う設定がなされる。【選択図】  図１
2004312342.tif 000002
【特許請求の範囲】
【請求項１】
携帯機器本体に取付けられ、被写体を撮像するカメラ、このカメラに近接して設けられ、操作により点灯する光源、上記カメラの撮像した画像を処理するカメラ制御部、上記光源の点灯を操作する操作部を備え、上記カメラ制御部は少なくとも画像を高画質化又は高感度化処理する機能を有しており、上記操作部により上記光源の点灯操作がなされたときには高感度化処理を行う設定がなされることを特徴とするカメラ付携帯機器。
【請求項２】
携帯機器本体に取付けられ、被写体を撮像するカメラと、このカメラの撮像した画像を処理するカメラ制御部とを備え、該カメラ制御部は少なくとも画像を高画質化又は高感度化処理する機能を有しており、上記カメラの撮像した画像の光量が一定値以下のときには高感度化処理を行う設定がなされることを特徴とするカメラ付携帯機器。
【発明の詳細な説明】
【０００１】
【発明の属する技術分野】
この発明は、携帯電話機等のカメラ付携帯機器に関し、特に、光量の少ない場所での撮影時に撮影した画像を高感度処理するようにしたカメラ付携帯機器に関する。
【０００２】
【従来の技術】
周知のように、携帯電話機にあっては、若者から高年齢層まで広く普及して来ており、単に電話機としての通話機能のみならず、パケット機能など各種の機能が付加されるようになってきた。
【０００３】
近年、携帯電話機はカメラ付のものが若者を中心に流行してきており、携帯の利便さから、いつでも何処でも気に入った場面で撮影できることから人気に拍車がかけられている。
【０００４】
しかしながら、いつでも何処でも撮影できても撮影環境は様々であり、比較的光量の少ない屋内での撮影と、明るい屋外の撮影とでは撮影した画像が光量不足になったり、画質が悪くなったりする場合もある。
【０００５】
そこで、従来のカメラ付携帯電話にあっては、操作により撮像した画像を高感度処理したり、高画質化処理したりする機能を付加することにより、撮影環境が変わっても綺麗な画像が得られるようにしている。
【０００６】
【発明が解決しようとする課題】
従来のカメラ付携帯機器は操作により高感度処理をするようにしているので、暗い環境下で撮影した場合、高感度処理の操作をしていなければ、光量が少ない画像になってしまい、ユーザが満足できる画像が得られない問題点があった。
【０００７】
この発明は、上記のような従来の問題点に鑑みてなされたものであり、ユーザが高感度処理の操作をしなくても、高感度処理を行い、綺麗な画像が得られるようにしたカメラ付携帯機器を得ることを目的としている。
【０００８】
【課題を解決するための手段】
この発明のカメラ付携帯機器は、携帯機器本体に取付けられ、被写体を撮像するカメラ、このカメラに近接して設けられ、操作により点灯する光源、上記カメラの撮像した画像を処理するカメラ制御部、上記光源の点灯を操作する操作部を備え、上記カメラ制御部は少なくとも画像を高画質化又は高感度化処理する機能を有しており、上記操作部により上記光源の点灯操作がなされたときには高感度化処理を行う設定がなされるように構成したものである。
【０００９】
この発明の別のカメラつき携帯機器は、携帯機器本体に取付けられ、被写体を撮像するカメラと、このカメラの撮像した画像を処理するカメラ制御部とを備え、該カメラ制御部は少なくとも画像を高画質化又は高感度化処理する機能を有しており、上記カメラの撮像した画像の光量が一定値以下のときには高感度化処理を行う設定がなされるように構成したものである。
【００１０】
【発明の実施の形態】
実施の形態１．
以下、この発明の実施の形態１に係るカメラ付携帯電話機を図について説明する。
【００１１】
図１はこの発明の実施の形態１に係るカメラ付携帯電話機のブロック図であり、１は基地局と無線回線を介して信号を送受するアンテナ、２はこのアンテナ１を介して送受信する信号を変調及び復調する無線部であり、制御部３に接続されている。無線部３は後述する各部と接続されており、ＲＯＭ４に記憶されたプログラムにしたがって、各部の制御機能を司る。ＲＡＭ５は上記制御部３のプログラムの一部及び制御処理に使用するデータを一次記憶する。６は操作部であり、テンキー、機能キーなどの各種操作キーを有し、制御部３に対してキー操作により各種の処理を実行するための指示を送出する。
【００１２】
７は表示制御部であり、上記操作部６から入力される電話番号を液晶表示器（以下、ＬＣＤと称す。）８に表示させたり、後述するカメラ１３が撮像する画像をＬＣＤ８に表示制御する。
９は音響制御部で、レシーバ１０及びマイク１１に接続され、上記アンテナ１、無線部２、及び制御部３を介して送信されてきた通話相手の音声をレシーバ１０から音声出力し、他方、ユーザの音声を、マイク１１を介して入力し、制御部３、無線部２、及びアンテナ１を通して通話相手に音声送信する。
１２はカメラ制御部であり、カメラ１３及び被写体を照らす光源としてのライト１４に接続されている。
【００１３】
カメラ付携帯電話機で被写体を撮影する場合、操作部６の機能キーを操作し、制御部３に対して、制御モードをカメラモードに設定する指示を行う。制御部３は、操作部６の指示により制御モードをカメラモードに設定するとカメラ１３に電源供給して、被写体を撮像可能にさせると共に、カメラ制御部１２を制御可能にし、カメラ１３の撮像する画像を画像処理させる。
カメラ制御部１２はカメラ１３が撮像した画像を高画質化処理、あるいは高感度化処理することが可能である。即ち、画像の１画素を多くの情報を基に処理することにより、高画質の画像とすることができ、また、周囲環境が暗い状態で撮像されていても、見えやすくする高感度の画像とすることができるものである。
【００１４】
高画質化処理、あるいは高感度化処理を行うには、ユーザが操作部６を操作し、制御部３を介してカメラ制御部に高画質化処理、あるいは高感度化処理の指示をする必要がある。
カメラ制御部１２により画像処理された画像データは、制御部３の制御によって、表示制御部７へ入力され、ＬＣＤ８に表示される。
ユーザはＬＣＤ８に表示された被写体画像を確認しながら、操作部６に設けられたシャッターボタンを操作することにより、その時の被写体画像が撮影され、被写体の画像データがＲＡＭ５に記憶される。
【００１５】
さて、カメラ１３の撮影画像をカメラ制御部１２で高感度化処理するためにはユーザが操作部を操作し、カメラ制御部１３に高感度化処理の実行指示を行う必要がある。しかし、この発明の実施の形態１では、ユーザが操作部の操作により高感度化処理の実行指示を行わなくても、カメラ制御部１２を高感度化処理するモードに設定することが可能になっている。
【００１６】
即ち、高感度化処理を行う必要があるのは、撮影環境が暗い場合であって、その場合、一般に、ユーザはライト１４を点灯する。この実施の形態１は、ユーザがライト１４を点灯させる操作を操作部６から行うことにより、カメラ制御部１２を高感度化処理するモードに設定する。
【００１７】
ライト１４を点灯させる操作がなされると、制御部３はカメラ制御部１２にライト１４を点灯させる制御信号を送出する。カメラ制御部１２は制御部３からライト１４を点灯させる制御信号を入力すると、ライト１４を点灯すると共に、高感度化処理するモードを設定する。
実施の形態２．
上記実施の形態１では、ライトを点灯する操作により、カメラ制御部１２を高感度化処理するモードに設定するものとしているが、実施の形態２では、カメラ制御部１２がカメラ１３から入力した被写体画像の光量を測定し、その光量が一定以下の場合に高感度化処理するモードを設定する。
【００１８】
このように構成しても、ユーザの操作に寄らず、自動的に高感度化処理するモードを設定でき、綺麗な撮影が可能になる。
【００１９】
【発明の効果】
以上述べたように、この発明によれば、操作部により光源の点灯操作がなされたとき、カメラ制御部を高感度化処理を行うように設定するものとしたので、煩わしい操作を必要とせず、綺麗な撮影が可能になる。
【００２０】
また、この発明によれば、
カメラの撮像した画像の光量が一定値以下のとき、カメラ制御部を高感度化処理を行うように設定するものとしたので、煩わしい操作を必要とせず、綺麗な撮影が可能になる。
【図面の簡単な説明】
【図１】この発明の実施の形態１に係るカメラ付携帯電話機のブロック図である。
【符号の説明】
１  アンテナ、  ２  無線部、  ３  制御部、  ６  操作部、  １２  カメラ制御部、  １３  カメラ、  １４  ランプ。
【図１】
2004312342.tif 000003